(57)【要約】    【課題】  鍬の刃に土がこびりつきにくくて使いやすく、かつ強度・耐久性も充分に備えていて作業性が良く実用的な、鍬および鍬刃構造を提供すること。    【解決手段】  鍬刃構造１は、柄部５と刃部からなる鍬１０の刃部を構成する構造であって、複数の刃体２を両側方から支持固定する枠体３と、枠体３により支持固定される複数の刃体２とから基本的に構成されており、さらに刃体２は、刃先部２Ｅおよび該枠体３に固定される左右両側部２Ｓ、２Ｓを備えた板状であり、各刃体２間には隙間Ｂが形成されている構成である。【選択図】  図１Ａ
2011045246.tif 000002
【特許請求の範囲】
【請求項１】
柄部と刃部からなる鍬の刃部を構成する鍬刃構造であって、該鍬刃構造は、
後記複数の刃体を両側方から支持固定する枠体と、
該枠体により支持固定される複数の刃体とからなり、
該刃体は、刃先部および該枠体に固定される左右両側部を備えた板状であり、
各刃体間には隙間が形成されている、鍬刃構造。
【請求項２】
前記複数の刃体はその刃先部先端が相互に平行または略平行となるよう設けられていることを特徴とする、請求項１に記載の鍬刃構造。
【請求項３】
前記隙間は、本鍬刃構造を用いた鍬使用時において砕かれた土の少なくとも一部が通り抜け可能な程度に形成されていることを特徴とする、請求項１または２に記載の鍬刃構造。
【請求項４】
前記刃体はその刃先部が本鍬刃構造の先端方向に向くよう傾斜した状態で支持固定されていることを特徴とする、請求項１ないし３のいずれかに記載の鍬刃構造。
【請求項５】
前記枠体は略コの字状に形成され、前記刃体を支持固定する左右両枠部は、その内側（該刃体の刃先部の向く側）が刃状に形成されていることを特徴とする、請求項１ないし４のいずれかに記載の鍬刃構造。
【請求項６】
請求項１ないし５のいずれかに記載の鍬刃構造を備えてなる、鍬。
【発明の詳細な説明】
【技術分野】
【０００１】
本発明は鍬および鍬刃構造に係り、特に、鍬の刃に土がこびりつきにくくて使いやすい、鍬および鍬刃構造に関するものである。
【背景技術】
【０００２】
農作業、趣味的な家庭園芸を問わず、畑の耕起作業や畝立て作業は、これらを手作業で行う場合に最も重労働の作業である。これらの作業には通常、鍬を用いるが、鍬の構造等については従来、種々の観点から技術的提案がなされている。
【０００３】
たとえば特許文献１に開示された技術は、溝切り鍬の軽量化と、農作業の省力化を図ることを目的として、１枚の鉄板を３〜５枚に分割する構造としたものである。これにより、刃部に負荷する力が軽減され、使用者の長時間にわたる作業が軽減されるとしている。
【０００４】
また特許文献２に開示された技術は、刃体における先端部に少なくとも１つの凹部が形成された構造とすることによって鍬を軽量化でき、さらに雑草類の除去や耕起などの際に地面や雑草類との接触面積を小さくして抵抗を減らすことができるため、農作業が楽になるとしている。
【先行技術文献】
【特許文献】
【０００５】
【特許文献１】特開２００５−１９２４３８号公報「溝掘り鍬」
【特許文献２】特開平６−３１５３０１号公報「鍬」
【発明の概要】
【発明が解決しようとする課題】
【０００６】
しかしこれらの各先行技術では、鍬の刃先がいわば櫛の歯状に分岐したものであるため、強度および耐久性に難点がある。鍬はある程度の固さを有する土壌に対して振り下ろし、掘り下げ、これを耕起するために用いるものであり、強度・耐久性がなくては実用性のあるものとはなり得ない。
【０００７】
また従来の鍬では、土が固かったり湿り気が多い場合には、鍬の刃に土がこぶ状にこびりついてしまい、そのために鍬全体が重くなって作業者への負荷が高まり、さらに土への深い食い込みが困難になるなど、作業性の低下を避けられない。これは、各特許文献開示技術でも同様である。
いう問題があった。
【０００８】
本発明が解決しようとする課題は、かかる従来技術の問題点を除き、鍬の刃に土がこびりつきにくくて使いやすく、かつ強度・耐久性も充分に備えていて作業性が良く実用的な、鍬および鍬刃構造を提供することである。
【課題を解決するための手段】
【０００９】
本願発明者は上記課題について検討した結果、振り下ろし方向に複数の刃を隔間配置させる構成により課題を解決できることに想到し、本発明に至った。すなわち、上記課題を解決するための手段として本願で特許請求される発明、もしくは少なくとも開示される発明は、以下の通りである。
【００１０】
（１）  柄部と刃部からなる鍬の刃部を構成する鍬刃構造であって、該鍬刃構造は、後記複数の刃体を両側方から支持固定する枠体と、該枠体により支持固定される複数の刃体とからなり、該刃体は、刃先部および該枠体に固定される左右両側部を備えた板状であり、各刃体間には隙間が形成されている、鍬刃構造。
（２）  前記複数の刃体はその刃先部後端が相互に平行または略平行となるよう設けられていることを特徴とする、（１）に記載の鍬刃構造。
（３）  前記隙間は、本鍬刃構造を用いた鍬使用時において砕かれた土の少なくとも一部が通り抜け可能な程度に形成されていることを特徴とする、（１）または（２）に記載の鍬刃構造。
【００１１】
（４）  前記刃体はその刃先部が本鍬刃構造の先端方向に向くよう傾斜した状態で支持固定されていることを特徴とする、（１）ないし（３）のいずれかに記載の鍬刃構造。
（５）  前記枠体は略コの字状に形成され、前記刃体を支持固定する左右両枠部は、その内側（該刃体の刃先部の向く側）が刃状に形成されていることを特徴とする、（１）ないし（４）のいずれかに記載の鍬刃構造。
（６）  （１）ないし（５）のいずれかに記載の鍬刃構造を備えてなる、鍬。
【発明の効果】
【００１２】
本発明の鍬刃構造等は上述のように構成されるため、これによれば、刃に土がこびりつきにくくて使いやすく、作業性に優れた鍬を提供することができる。しかも本発明による鍬は、強度および耐久性も充分であるため、実用性にも優れたものである。
【００１３】
本発明に係る鍬は、土が固かったり湿り気が多い場合であっても鍬の刃に土がこぶ状にこびりつかないため、鍬全体が重くなってしまうことがなく、したがって作業者への余計な負荷がない。さらに、土への深い食い込みも容易となり、鍬を引き抜く際にも抵抗が少なくなって楽に作業できるなど、作業性にも優れたものである。
また、かかる作業性の高さ故に、本発明によれば耕す時間を短縮することができ、農家における業務用、趣味園芸用いずれの用途にも実用性の高い発明である。
【図面の簡単な説明】
【００１４】
【図１Ａ】本発明の鍬刃構造および鍬の構成例を示す斜視図である。
【図１Ｂ】図１Ａの構成例の要部拡大図である。
【図２】図１Ａの構成例の要部断面図である。
【図３】図１Ａの構成例の使用状態を示す断面図である。
【図４Ａ】本発明鍬の実施例の要部を示す写真図である。
【図４Ｂ】本発明鍬の実施例の要部を示す写真図である。
【発明を実施するための形態】
【００１５】
以下、図面により本発明を詳細に説明する。
図１Ａは、本発明の鍬刃構造および鍬の構成例を示す斜視図である。また、
図１Ｂは、図１Ａの構成例の要部拡大図、
図２は、図１Ａの構成例の要部断面図、そして、
図３は、図１Ａの構成例の使用状態を示す断面図である。なお、各図では符号付けの一部を省略している場合がある。これらに図示するように本発明鍬刃構造１は、柄部５と刃部からなる鍬１０の刃部を構成する構造であって、複数の刃体２を両側方から支持固定する枠体３と、枠体３により支持固定される複数の刃体２とから基本的に構成されており、さらに刃体２は、刃先部２Ｅおよび該枠体３に固定される左右両側部２Ｓ、２Ｓを備えた板状であり、各刃体２間には隙間Ｂが形成されていることを、主たる構成とする。
【００１６】
主に図３により、本発明の作用を説明する。上記構成の本発明鍬刃構造１を備える鍬１が振り下ろされて地面Ｇに食い込んでいく際、まず刃体２のうち最先端のものが刃先部先端２Ｅでもって地面Ｇに接触し、食い込み、土を掻き削っていく。それにより、地面Ｇ中の土は細かく砕かれる。このようにして最先端の刃体２が食い込んでいくとき、後続の各刃体２もその刃先部先端２Ｅによって地面Ｇ中の土に接触し、食い込み、土を掻き削っていき、それにより、地面Ｇ中の土は細かく砕かれていく。
【００１７】
刃体２によって砕かれた土は、隙間Ｂを通して鍬１の手前側から後方へとくぐり抜けて移動する。また、刃体２によって砕かれた土は、隙間Ｂを通る際にも細かく砕かれる場合がある。このようにして、隙間Ｂをくぐり抜けた土は、砕かれた土Ｄの状態で置かれる。
【００１８】
本発明の鍬刃構造１は従来の鍬のような一枚鉄板による形成ではなく複数の刃体２、２、・・・により構成されているため、各刃体２、２、・・・はその幅が当然ながら狭く、その分、土がこびりつきにくくなっている。また、一枚の刃体２あたりの土との接触面は狭いため、従来の鍬と比較して深く土に食い込ませることができる。
【００１９】
また、本発明の鍬刃構造１によれば、上記構造により鍬１を地面Ｇから引き抜くときにも土が砕かれる。それによって地面Ｇ中には空間ができるため、従来の鍬と違って引き抜く際の抵抗が少ない。
【００２０】
なお、本発明鍬刃構造１を構成する複数の刃体２および枠体３にはいずれも鉄板を用いることができるが、本発明はそれに限定されず、鍬として必要な強度その他の特性を備えた材料であれば、いかなる材料も用いることができる。また、刃体２および枠体３の形状、設ける刃体２の数も、要するに複数の刃体２により砕かれた土の少なくとも一部が通り抜けられる程度以上の隙間Ｂが一または複数形成されている構造である限り、特に限定されない。
【００２１】
さらに、複数の刃体２、２、・・・は、図示する構成例のようにその最先端のもの（地面Ｇに最初に接触する刃体）を湾曲状に形成するなど、すべての刃体を同一形状・構造に形成する必要はない。なお、最先端の刃体は地面Ｇに最初に接触する先端部位であるため、これを特に強度のある形状・構造、地面Ｇに食い込みやすい形状・構造とするのは、望ましいことである。
【００２２】
また、柄５を本鍬刃構造１に取り付けるための枠体３の具体的な形状・構造、あるいは鍬刃構造１への取り付け方法も、図示するものに限定されず適宜の構造・方法にて行うことができる。
【００２３】
各図に示すように、本発明鍬刃構造１を構成する複数の刃体２は、その刃先部後端２Ｒが相互に平行、または略平行となるように設けるものとすることができる。もちろん本発明は、かかる構成以外のものも発明の範囲に含むものであるが、平行または略平行とすることによって規格化できるため、製造過程においてより有利さがある。また使用時においても、作業性、保守性、耐久性、意匠性等の点で有利さがある。また、平行または略平行とするだけでなく、各刃体２、２間の間隔や取り付け角度なども規格化することによって、上記の有利さを増すことができる。
【００２４】
各図に示すように、本発明鍬刃構造１の刃体２は、その刃先部先端２Ｅが本鍬刃構造１の先端方向に向くよう傾斜した状態で支持固定されるものとすることができる。もちろん本発明は、かかる構成以外のものも発明の範囲に含むものであるが、刃体２を傾斜した状態で支持固定する構成によって、土を掻き削る作用および土が隙間Ｂをくぐって裏に抜け出る際の砕き作用をより効率的に行うことができ、耕す時間の短縮効果も一層高めることができる。
【００２５】
各図に示すように、本発明鍬刃構造１の枠体３は、手前側から見て略コの字状に形成するものとすることができる。かかる構成は製造も簡便であり、かつ本発明の用途を充分に果たせる構成でもある。
【００２６】
また、各図に示すように、刃体２を支持固定する枠体３の左右両枠部は、その内側（刃体２の刃先部先端２Ｅの向く側）を刀の刃状に形成されたものとすることができる。もちろん本発明は、かかる構成以外のものも発明の範囲に含むものであるが、左右両枠部を刃状に形成することにより、鍬１０を振り下ろして地面Ｇに食い込ませ、手前に引く際、地面Ｇの抵抗を減らし、より軽い力で鍬を手前に引く動作を行うことができる。
【実施例】
【００２７】
以下、本発明の実施例を説明するが、本発明が実施例に限定されるものではない。
＜実施例１＞
本発明の実施例として、鍬を試作した。
図４Ａ、４Ｂは、本発明鍬の実施例の要部を示す写真図である。なお、図中の符号付けは一部を省略している。枠体４３に刃体４２１、４２２等を６枚取り付け溶接した。各刃体４２１等の刃先部先端４２１Ｅ等は刃状に形成した。なお各刃体中、最先端の刃体４２１のみは、図示するように湾曲した形状とした。
【００２８】
なお各刃体の幅は、最先端の刃体４２１は３０ｍｍ幅、それ以降の各刃体４２２、４２３、・・・は２５ｍｍ幅とし、相互に１０ｍｍ間隔で設けた。これにより、１０ｍｍ間隔の隙間４Ｂが形成されている状態である。さらに各刃体４２２等は、内側に６ｍｍ傾けて−すなわち枠体４３の左右両枠部の下端に対して刃先部先端４２２Ｅ等が６ｍｍの離間距離となるように−設けられている。
【００２９】
本実施例鍬を実際の耕起作業に用いたところ、刃に土がこびりつきにくくて使いやすく、しかも強度および耐久性も充分であった。土が固かったり湿り気が多い場合でも、鍬の刃に土がこぶ状にこびりつかず、鍬全体が重くなってしまうことがなかった。さらに、土への深い食い込みが容易であり、鍬を引き抜く際にも抵抗が少なかった。耕起に要する時間も従来の鍬に比べて短時間であり、作業性・実用性の高さを実証することができた。
【産業上の利用可能性】
【００３０】
本発明は、一般農家の業務用途か家庭園芸等趣味用途を問わず、土を耕すことと畝立て作りという土作りの労力を大いに軽減し、これらの作業を効率的に行うことができるという、作業性・実用性に優れたものである。したがって、産業上利用性が高い発明である。
【符号の説明】
【００３１】
１、４１…鍬刃構造
２、４２１、４２２、４２３、４２４、４２５、４２６…刃体
２Ｅ、４２１Ｅ、４２２Ｅ…刃先部先端
２Ｒ、４２１Ｒ、４２２Ｒ…刃先部後端
２Ｓ、４２２Ｓ、４２２Ｓ…左右両側部
３、４３…枠体
５、４５…柄部
１０…鍬
Ｂ、４Ｂ…隙間
Ｄ…砕かれた土
Ｇ…地面
【図１Ａ】
2011045246.tif 000003
【図１Ｂ】
2011045246.tif 000004
【図２】
2011045246.tif 000005
【図３】
2011045246.tif 000006
【図４Ａ】
2011045246.tif 000007
【図４Ｂ】
2011045246.tif 000008
【手続補正書】
【提出日】平成21年9月4日(2009.9.4)
【手続補正１】
【補正対象書類名】明細書
【補正対象項目名】０００７
【補正方法】変更
【補正の内容】
【０００７】
また従来の鍬では、土が固かったり湿り気が多い場合には、鍬の刃に土がこぶ状にこび
りついてしまい、そのために鍬全体が重くなって作業者への負荷が高まり、さらに土への
深い食い込みが困難になるなど、作業性の低下を避けられない。これは、各特許文献開示
技術でも同様である。